(57)【要約】      （修正有）【課題】糊づけやテープの貼着などを使用せずに閉止でき、道具を使用せず開梱できる梱包箱を実現する。【解決手段】梱包箱１を形成するブランク２が天板部１０、底板部３０、前板部２０、後板部４０を有し、底板部には２つの底板フラップ３１、３２が連接している。底板部に対し、前板部、後板部、底板フラップを折り曲げて断面四辺形状の箱体を形成できる。天板部には２つの天板フラップ１１、１２が連接し、天板部を折り曲げて箱体に蓋し、天板部の２つのフラップを折り曲げ、底板フラップに重ねることができる。天板のフラップには蓋側係止片１３〜１６が延出しており、底板フラップでは箱体係止片３３〜３６が延出している。箱体係止片と、蓋側係止片とを前板部の内面２０ｘと、後板部の内面４０ｘとに沿うように折り曲げて、箱体係止片と蓋側係止片とを係止する。梱包箱１は引裂き線１７、１８、２１、２２を形成した。【選択図】図１
2014084132.tif 000002
【特許請求の範囲】
【請求項１】
略四辺形の天板部と、前記天板部と略相似形状の底板部と、前記天板部の第一辺と前記底板部の第一辺との間に介在する略四辺形の前板部と、前記底板部の前記第一辺と相対する第二辺に連接した後板部と、前記底板部の第三辺に連接した底板第三辺フラップおよび第四辺に連接した底板第四辺フラップとを有するブランクを折り曲げて形成される梱包箱であって、
前記ブランクは、前記天板部の前記第一辺と相対する第二辺の側に形成された閉止片と、前記天板部と前記前板部との境界に位置する天板折り目部と、前記前板部と前記底板部との境界に位置する前板折り目部と、前記底板部と前記後板部との境界に位置する後板折り目部と、
前記底板部と前記底板第三辺フラップとの境界に位置する底板第三辺折り目部および前記底板部と前記底板第四辺フラップとの境界に位置する底板第四辺折り目部と、
前記天板部の第三辺に連接した天板第三辺フラップおよび前記天板部の第四辺に連接した天板第四辺フラップと、前記天板部と前記天板第三辺フラップとの境界に位置する天板第三辺折り目部および前記天板部と前記天板第四辺フラップとの境界に位置する天板第四辺折り目部と、
前記天板第三辺フラップから前記前板部側に延出した蓋側第一係止片および前記蓋側第一係止片と相対する側に延出した蓋側第二係止片と、前記天板第四辺フラップから前記前板部側に延出した蓋側第三係止片および前記蓋側第三係止片と相対する側に延出した蓋側第四係止片と、
前記底板第三辺フラップから前記前板部側に延出した箱体第一係止片および前記箱体第一係止片と相対する側に延出した箱体第二係止片と、前記底板第四辺フラップから前記前板部側に延出した箱体第三係止片および前記箱体第三係止片と相対する側に延出した箱体第四係止片と、前記後板部に設けられた後部スリットとを有し、
前記底板部に対し、前記後板部、前記前板部、前記底板第三辺フラップおよび前記底板第四辺フラップを、それぞれ折り曲げて前記底板部と相対する領域が開口した箱体を形成するときに、
前記箱体第一係止片、前記箱体第三係止片、前記蓋側第一係止片および前記蓋側第三係止片を前記前板部の内面と沿うように折り曲げ、また前記箱体第二係止片、前記箱体第四係止片、前記蓋側第二係止片および前記蓋側第四係止片を前記後板部の内面と沿うように折り曲げ、
さらに前記蓋側第一係止片を前記箱体第一係止片に係止し、前記蓋側第二係止片を前記箱体第二係止片に係止し、前記蓋側第三係止片を前記箱体第三係止片に係止し、前記蓋側第四係止片を前記箱体第四係止片に係止することで、前記底板第三辺フラップに前記天板第三辺フラップを重ねるとともに、前記底板第四辺フラップに前記天板第四辺フラップを重ねることで前記箱体を形成し、
前記天板部が有する前記閉止片を前記後部スリットに挿入することで前記箱体を閉止することができ、
前記天板部、前記前板部、前記底板部、前記後板部、前記底板第三辺フラップ、前記底板第四辺フラップ、前記天板第三辺フラップおよび前記天板第四辺フラップの何れかに引裂き線が形成されていることを特徴とする梱包箱。
【請求項２】
前記箱体第一係止片を折り曲げるための箱体第一係止折り目部と前記箱体第二係止片を折り曲げるための箱体第二係止折り目部との間隔が前記底板部の第三辺の長さよりも若干狭く、
前記箱体第三係止片を折り曲げるための箱体第三係止折り目部と前記箱体第四係止片を折り曲げるための箱体第四係止折り目部との間隔が前記底板部の第四辺の長さよりも若干狭く、
前記蓋側第一係止片を折り曲げるための蓋側第一係止折り目部と前記蓋側第二係止片を折り曲げるための蓋側第二係止折り目部との間隔が前記箱体第一係止折り目部と前記箱体第二係止折り目部との間隔よりも若干広く、
前記蓋側第三係止片を折り曲げるための蓋側第三係止折り目部と前記蓋側第四係止片を折り曲げるための蓋側第四係止折り目部との間隔が前記箱体第三係止折り目部と前記箱体第四係止折り目部との間隔よりも若干広いことを特徴とする請求項１に記載の梱包箱。
【請求項３】
請求項１または２に記載の梱包箱において、
前記後板部が、前記底板部と連接する主後板と、副後板と、前記主後板と前記副後板との間に介在する後板折り重ね部と、前記副後板において前記後板折り重ね部と相対する側から延出した後板係止爪とを有して、また前記底板部が前記後板折り目部の近傍に設けられた底板スリットを有して、
前記箱体を形成するときに、前記後板部を前記後板折り重ね部において折り曲げて前記後板係止爪を前記底板スリットに係止させることができるとともに、前記箱体第二係止片、前記箱体第四係止片、前記蓋側第二係止片および前記蓋側第四係止片を前記主後板および前記副後板の間に挟み込むことができることを特徴とする梱包箱。
【請求項４】
前記蓋側第一ないし第四係止片が蓋側第一ないし第四係止スリットを有し、前記箱体第一ないし第四係止片が箱体第一ないし第四係止爪を有し、
前記箱体第一ないし第四係止爪は、それらの折り目部が前記箱体第一ないし第四係止折り目部よりも、前記底板第三辺フラップまたは第四辺フラップの中央部側に若干オフセットしており、
前記箱体を形成するときに、前記箱体第一ないし第四係止片を折り曲げると、前記箱体第一係止爪先端が前記箱体第一ないし第四係止片よりも前記前板部側または前記後板部側に若干せり出して、前記箱体第一ないし第四係止爪を前記蓋側第一ないし第四係止スリットに容易に挿入することができる一方、
前記箱体が形成されたのちに、前記蓋側第一ないし第四係止片を前記箱体の外側に向けて移動させようとすると、前記移動による前記蓋側第一ないし第四係止スリットの移動が前記箱体第一ないし第四係止爪によった阻止されて、前記蓋側第一ないし第四係止片を前記箱体第一ないし第四係止片から離脱できないことを特徴とする請求項１〜３の何れかに記載の梱包箱。
【請求項５】
請求項４に記載の梱包箱において、前記箱体第一ないし第四係止爪の折り目部が、前記箱体第一ないし第四係止折り目部よりも、前記天板第三辺または第四辺フラップの中央部側に若干オフセットしていることを特徴とする梱包箱。
【請求項６】
請求項１ないし５の何れかに記載の梱包箱において、
前記底板第三辺フラップは、前記底板部と相対する辺から延出した第三辺天板内フラップを更に有するとともに、前記底板第四辺フラップは、前記底板部と相対する辺から延出した第四辺天板内フラップを更に有しており、
前記箱体を閉止すると、前記第三辺および第四辺天板内フラップが前記天板部の内面に接することを特徴とする梱包箱。
【請求項７】
前記引裂き線が、前記天板部および前記底板部の何れか一方、および前記前板部および前記後板部の何れか一方に形成されており、前記天板部または前記底板部に形成された裂き線と前記前板部または前記後板部に形成された引裂き線とが連続していることを特徴とする請求項１ないし６の何れかに記載の梱包箱。
【請求項８】
前記天板部に形成された引裂き線が前記天板部と前記天板第三辺フラップとの境界および前記天板部と前記天板第四辺フラップとの境界と略一致して形成されていること、
または前記底板部に形成された引裂き線が前記底板部と前記底板第三辺フラップとの境界、および前記底板部と前記底板第四辺フラップとの境界と略一致して形成されていることを特徴とする請求項７記載の梱包箱。
【請求項９】
前記ブランクが段ボールまたは厚紙で形成されたことを特徴とする請求項１ないし８の何れかに記載の梱包箱。
【発明の詳細な説明】
【技術分野】
【０００１】
本発明は、ブランクを糊などで接着またはテープなどを貼着することなく、梱包箱の形成および蓋部の閉止が可能であり、また閉止後の梱包箱を、道具を使うことなく手で開梱することができる梱包箱に関するものである。
【背景技術】
【０００２】
種々の物品を収容する梱包箱、たとえば配送または保管のための梱包箱は、４つの側面を形成する板部、天面となる板部および底面となる板部を有する１枚のブランクを、折り目線に従って折ることで、梱包箱とするものが一般的である。こうした梱包箱では、隣接する板部同士を糊などで接着して、またはテープで貼着して、梱包箱が形成される（特許文献１〜５）。
【０００３】
梱包箱の閉止は、蓋部となる天面または側面の板部を糊などで接着して、またはテープで貼着して行われる一方、開梱は、梱包箱の天面および側面の一方または双方に形成されたミシン目を引裂くことで行われるものがある（特許文献３および４）。または天面および底面に位置する板部をテープで貼着などして閉止し、開梱時にはこのテープを剥がすものもある（特許文献５）。
【０００４】
しかし、上述した各梱包箱は、物品を収容に際し、糊づけ、またはテープの貼着をしなければ梱包箱を形成することができない。また梱包箱は、閉止が確実で、収容物が外部から見えないことが求められ、各面の境界などに形成される隙間を塞ぐための、糊づけ、またはテープの貼着が必要となることもある。そのため、たとえば通信販売業界においては、梱包箱の組み立て時における糊づけ、またはテープの貼着作業、および糊などの材料費の発生でコストが増大するという問題がある。
【０００５】
糊づけ、またはテープで貼着された梱包箱は、開梱時に糊またはテープを剥がさねばならず、カッターナイフなどの道具を必要とし開梱作業が容易でない。さらに、リサイクルするときには、解体した梱包箱からテープを剥がさなければならないこともあり、開梱作業の煩雑化および作業コストの増加という問題がある。開梱が容易なミシン目を引裂くタイプの梱包箱においても、リサイクルにおけるテープの処理は同様の問題を生じさせる。上記の各問題は、梱包箱を物品保管などに用いる場合でも同様である。
【先行技術文献】
【特許文献】
【０００６】
【特許文献１】特開２０１０−０９５２６２号公報
【特許文献２】特開２００８−０７４４５８号公報
【特許文献３】特許第４８５２９２０号公報
【特許文献４】特許第４９３８４０２号公報
【特許文献５】特開２００４−１６８３５４号公報
【発明の概要】
【発明が解決しようとする課題】
【０００７】
そこで本発明は、糊づけ、またはテープの貼着をすることなく確実に閉止できる梱包箱を実現し、さらに開梱に際し、カッターナイフなどの道具を必要とせず、手で開梱することができ、リサイクルする際に、梱包箱の解体が容易であり、かつテープなどの分別が不要であり、さらに好ましくはブランクを折り曲げた際にできる隙間を少なくした梱包箱の実現を課題とした。
【課題を解決するための手段】
【０００８】
上記課題を解決するために、本発明に係る梱包箱（請求項１）は、該梱包箱を形成するためのブランクが天板部、底板部、前板部および後板部を有しており、天板部の第一辺と底板部の第一辺との間には前板部が介在し、底板部の第一辺と相対する第二辺は後板部に連接している。天板部および底板部は略相似形状の略四辺形をなし、ブランクの底板部の第三辺には底板第三辺フラップが、そして第三辺と相対する第四辺には底板第四辺フラップがそれぞれ連接している。このブランクは、底板部に対し、前板部、後板部、底板第三辺フラップおよび底板第四辺フラップを、それぞれの折り目部において折り曲げて、底板部と相対する領域が開口した断面四辺形状の箱体を形成できる。
【０００９】
天板部は、その第一辺と相対する第二辺の側に形成された閉止片を有するとともに、その第三辺に連接した天板第三辺フラップ、およびその第四辺に連接した天板第四辺フラップを有しており、天板部と天板第三辺フラップおよび天板第四辺フラップとの境界はそれぞれ折り目部となっている。
【００１０】
したがって、天板部を折り曲げて上記箱体に蓋をすることができ、さらに天板第三辺側および第四辺フラップを折り曲げて、それぞれ底板第三辺フラップおよび天板第四辺側を底板第四辺フラップに重ねることができる。
【００１１】
ここで天板第三辺フラップでは、前板部側に蓋側第一係止片が延出し、相対する側には蓋側第二係止片が延出している。天板第四辺フラップでも同様に、前板部側に蓋側第三係止片が延出し、相対する側には蓋側第四係止片が延出している。また底板第三辺フラップでは、前板部側に箱体第一係止片が延出し、相対する側には箱体第二係止片が延出している。底板第四辺フラップでも同様に、前板部側に箱体第三係止片が延出し、相対する側には箱体第四係止片が延出している。
【００１２】
したがって、箱体第一および第三係止片と、蓋側第一および第三係止片とを前板部の内面と沿うように折り曲げて、蓋側第一係止片と箱体第一係止片とを係止し、蓋側第三係止片と箱体第三係止片とを係止することができる。また箱体第二および第四係止片と、蓋側第二および第四係止片とを後板部の内面と沿うように折り曲げて、前板部側と同様にそれぞれを係止することができる。その結果、天板第三辺フラップと底板第三辺フラップが、そして天板第四辺フラップと底板第四辺フラップとがそれぞれ重なる。
【００１３】
また天板部はその第二辺の側に閉止片を有しており、また後板部は後部スリットを有している。したがって閉止片を後部スリットに差し込むことで、箱体に蓋をすることができる。
【００１４】
該梱包箱には、天板部、前板部、底板部、後板部、底板第三辺フラップ、底板第四辺フラップ、天板第三辺フラップおよび天板第四辺フラップの何れかに引裂き線が形成されており、この引裂き線を手で引裂くことで容易に開封することができる。
【００１５】
すなわち該梱包箱は、ブランクを折り曲げて組み立てるだけで、梱包箱に組み上げることができ、箱体側各係止片、蓋側各係止片、および閉止片によって箱体形状を維持することができる（箱体形状を維持するためにテープの貼着や糊づけをする必要がない。）。またカッターなどの道具を必要とせず手だけで開封することができる（請求項１）。
【００１６】
ここで、箱体第一係止片を折り曲げるための箱体第一係止折り目部と箱体第二係止片を折り曲げるための箱体第二係止折り目部との間隔を、底板部の第三辺の長さよりも若干狭くし、また箱体第三係止片を折り曲げるための箱体第三係止折り目部と箱体第四係止片を折り曲げるための箱体第四係止折り目部との間隔を、底板部の第四辺の長さよりも若干狭くすることで、容易に、箱体第一および第三係止片を前板部の内面と沿うように折り曲げることができ、また箱体第二および第四係止片を後板部の内面と沿うように折り曲げることができる（請求項２）。
【００１７】
さらに、蓋側第一係止片を折り曲げるための蓋側第一係止折り目部と蓋側第二係止片を折り曲げるための蓋側第二係止折り目部との間隔を、箱体第一係止折り目部と箱体第二係止折り目部との間隔よりも若干広く、また蓋側第三係止片を折り曲げるための蓋側第三係止折り目部と蓋側第四係止片を折り曲げるための蓋側第四係止折り目部との間隔を、箱体第三係止折り目部と箱体第四係止折り目部との間隔よりも若干広くすることで、蓋側第一および第三係止片を前板部の内面と沿うように位置づけることができ、また蓋側第二および第四係止片を後板部の内面と沿うように位置づけることができる。
【００１８】
各係止折り目部の間隔を上記のように設定したブランクを有する該梱包箱は、前板部の内面および後板部の内面に沿った位置で、各箱体側係止片と各蓋側係止片とを係止することができる（請求項２）。
【００１９】
また後板部は、折りたたんで二重構造となるものでもよく（請求項３）、この場合には、後板部は、底板部と連接する主後板（後外板）、副後板（後内板）、主後板と副後板との間に介在する後板折り重ね部、副後板から後板折り重ね部と相対する側に延出した後板係止爪を有する。かかる後板部であれば、後板折り重ね部において、主後板に対し副後板を折り曲げて、底板部が後板折り目部の近傍に有する底板スリットに後板係止爪を係止することで、主後板および副後板による二重構造を形成することができる。
【００２０】
後板部を上記のように構成したブランクを有する梱包箱は、箱体第二係止片と蓋側第二係止片とを係止して、また箱体第四係止片と蓋側第四係止片とを係止して、主後板および副後板の間に挟み込むことができる（後板部の内面の間に挟み込むことができる。）。
【００２１】
また該梱包箱は、各係止片の係止が容易である一方、係止状態を容易に解除できないように、各係止片が以下の構成を有している（請求項４、５）。
【００２２】
すなわち蓋側第一ないし第四係止片は蓋側第一ないし第四係止スリットを有する一方、箱体第一ないし第四係止片は箱体第一ないし第四係止爪を有しており、箱体係止爪の先端部を蓋側係止スリットに挿入することで、箱体係止片と蓋側係止片とを係止することができる。
【００２３】
ここで箱体第一ないし第四係止爪は、それらの折り目部が、それらの箱体係止折り目部よりも、底板第三辺フラップまたは第四辺フラップの中央部側に若干オフセットしている。したがって、箱体を形成するときに、各箱体係止片を前板部または後板部に沿うように折り曲げると、各係止爪の先端部が各箱体係止片よりも、前板部側または後板部側に若干せり出す。その後、箱体係止片に沿うように蓋側係止片を差し込むと、箱体係止片のせり出した係止爪を蓋側係止スリットに挿入することができる。
【００２４】
箱体を形成したのちに、蓋側係止片を箱体の外側に向けて移動させようとしても（組み上がった箱体を解体しようとしても）、係止爪が係止スリットの動きを阻止して、蓋側係止片と箱体係止片との係止状態を解除することができない（組み上がった箱体を容易に解体することはできない。）。
【００２５】
底板第三辺フラップから第三辺天板内フラップを、そして底板第四辺フラップから第四辺天板内フラップ（３８）を、それぞれ更に延出させて、箱体を閉止したとき、各天板内フラップが天板部の内面に接するようにすることで、該梱包箱の天面板部と天板第三辺フラップの境界領域および天面板部と天板第四辺フラップの境界領域を、より強固にすることができる（請求項６）。
【００２６】
梱包箱を開封するための引裂き線が、天板部および底板部の何れか一方、および前板部および後板部の何れか一方に形成され、前板部または後板部に形成された引裂き線と、天板部または底板部に形成された引裂き線とが連続していれば、前板部または後板部に形成された引裂き線を引裂くことで、すべての引裂き線を引裂くことができ、開封が容易となる（請求項７）。
【００２７】
天板部の引裂き線が、天板部と天板第三辺フラップとの境界、および天板部と天板第四辺フラップとの境界と略一致していれば、または底板部の引裂き線が、底板部と底板第三辺フラップとの境界、および底板部と底板第四辺フラップとの境界と略一致していれば、開封時に天板部または底板部の全領域を開くことができ、容易に内容物を取出すことができる（請求項８）。ブランク（該梱包箱）は段ボールまたは厚紙で形成することができる（請求項９）。
【発明の効果】
【００２８】
上記構成を有する本発明にかかる梱包箱によれば、梱包箱の組み立て時における糊づけ、またはテープの貼着作業、および閉止のための糊などが不要となるため、梱包箱の組み立てなどのコストを低減することができ、またカッターナイフなどの道具を必要とせず、手で開梱することができ作業が容易で開梱作業のコストを低減することができ、開梱後においても解体した梱包箱からテープなどを取り除く必要がないから、リサイクル作業のコストを低減することができる。
【図面の簡単な説明】
【００２９】
【図１】本発明の一実施例にかかる梱包箱を形成するためのブランクの概略平面構成を示す図である。
【図２】図１のブランクにおける天板部側のフラップおよび係止片、ならびに底板部側のフラップおよび係止片などの概略平面構成を示す図である。
【図３】図１のブランクにおける箱体係止片近傍の平面概略構成を示す図であり、同図（ａ）は箱体係止片を折り曲げる前の状態を示し、同図（ｂ）は箱体係止片を折り曲げた状態を示し、同図（ｃ）はさらに箱体係止爪を折り曲げた状態を示す。
【図４】図４（ａ）は、底板第三辺フラップ、箱体第一係止片および箱体第一係止爪を図３（ｃ）に示すように折り曲げた状態における断面概略構成を示す図であり、図４（ｂ）は、前板部と箱体第一係止片との間に蓋側第一係止片を挿入し係止した状態を示す図である。
【図５】図１のブランクにおいて、後板部を底板部に対し折り曲げて、底板部の後板係止爪を底板部の底板スリットに係止した状態を示す図である。
【図６】図１のブランクによって梱包箱を組み立てる際の、箱体係止片および底板第三辺フラップの折り曲げを示す図である。
【図７】図１のブランクによって梱包箱を組み立てる際の、後板部による箱体係止片の挟み込みを示す図である。
【図８】図１のブランクによって梱包箱を組み立てる際の、箱体の形成を示す図である。
【図９】図１のブランクによって梱包箱を組み立てる際における、天板第四辺フラップと底板第四辺フラップとの重ね合わせを示す図である。
【図１０】図１のブランクによって組み立てた梱包箱の概略外観構成を示す図である。
【図１１】図１のブランクによって組み立てた梱包箱を開封した状態を示す図である。
【発明を実施するための形態】
【００３０】
以下、図面を参照して本発明にかかる梱包箱について説明する。
【００３１】
＜ブランクの概略構成＞
本発明の一実施例にかかる梱包箱１のブランク２の平面概略構成を図１に示す。ブランク２は天板部１０、前板部２０、底板部３０、後板部４０を有している。略四辺形状の天板部１０の第一辺１０ａは、前板部２０の第一辺２０ａと接しており、天板部１０の第一辺１０ａと相対する第二辺１０ｂ側には、閉止片１０ｔが延出している。前板部２０の第一辺２０ａと相対する第二辺２０ｂは底板部３０の第一辺３０ａと接しており、底板部３０の第一辺３０ａと相対する第二辺３０ｂは、後板部４０の第一辺４０ａと接している。
【００３２】
互いに接する天板部１０の第一辺１０ａと前板部２０の第一辺２０ａとは天板折り目部となっており、前板部２０の第二辺２０ｂと底板部３０の第一辺３０ａとは前板折り目部となっており、底板部３０の第二辺３０ｂと後板部４０の第一辺４０ａとは、後板折り目部となっている。なおブランク２は、典型的には段ボールで形成されるが、段ボールに限定されず、厚紙などで形成されたものであってもよい。
【００３３】
＜後板部＞
後板部４０は、後外板４１、後内板４２および後板折り重ね部４３を有し、後外板４１が底板部３０と連接し、後外板４１と後内板４２との間に後板折り重ね部４３が介在している。後板部４０の内面４０ｘは、後外板４１、後内板４２および後板折り重ね部４３のそれぞれの内面になる。
【００３４】
後板折り重ね部４３には、天板部１０の閉止片１０ｔを差し込むための後部スリット４０ｓが設けられている。後板部４０の第一辺４０ａと相対する第二辺４０ｂ側には、２つの後板係止爪４０ｔが延出している。そして、底板部３０と後板部４０との境界領域には、後板係止爪４０ｔを係止するための底板スリット３０ｓが設けられている。
【００３５】
＜天板側および底板側のフラップ＞
天板部１０の第三辺１０ｃには天板第三辺フラップ１１が連接し、第三辺１０ｃは、天板第三辺折り目部となっている。第三辺１０ｃと相対する第四辺１０ｄには天板第四辺フラップ１２が連接し、第四辺１０ｄは、天板第四辺折り目部となっている。底板部３０の第三辺３０ｃには底板第三辺フラップ３１が連接し、第三辺３０ｃは、底板第三辺折り目部となっている。そして、第三辺３０ｃと相対する第四辺３０ｄには底板第四辺フラップ３２が連接し、第四辺３０ｄは、底板第四辺折り目部となっている。さらに底板第三辺フラップ３１および底板第四辺フラップ３２は、底板部３０と相対する側に延出した天板内フラップ３７、３８をそれぞれ有している。
【００３６】
＜引裂き線＞
天板部１０には、第一の引裂き線１７、および第二の引裂き線線１８が形成されており、前板部２０には、第三の引裂き線２１、および第四の引裂き線２２が形成されている（これら引裂き線は例えばミシン目で形成されている。）。天板部１０と天板第三辺フラップ１１との境界（天板第三辺折り目部）に形成された第一の引裂き線１７は、その一端１７ａが第三の引裂き線２１の一端２１ａと連続しており、天板部１０と天板第四辺フラップ１２との境界（天板第四辺折り目部）に形成された第二の引裂き線１８は、その一端１８ａが第四の引裂き線２２の一端２２ａと連続している。そして第三の引裂き線の他端２１ｂおよび第四の引裂き線２２の他端２２ｂは、底板部３０の第一辺３０ａと接する前板部２０の第二辺２０ｂ近傍において、引裂き始点部２３を介して連続している。
【００３７】
ここで、前板部２０は、天板部１０の第一辺１０ａ、第三の引裂き線２１、第四の引裂き線２２および引裂き始点部２３で画された領域２４が天板部１０と連接し、残余の領域２５が底板部３０と連接している。
【００３８】
＜蓋側係止片および箱体側係止片＞
図２に示すように、天板第三辺フラップ１１は、底板第三辺フラップ３１側に延出した蓋側第一係止片１３、および蓋側第一係止片１３と相対する側に延出した蓋側第二係止片１４を有している。天板第四辺フラップ１２は、底板第四辺フラップ３２側に延出した蓋側第三係止片１５、および蓋側第三係止片１５と相対する側に延出した蓋側第四係止片１６を有している。さらに蓋側第一〜第四係止片１３〜１６は、それぞれ蓋側第一〜第四係止スリット１３ｓ〜１６ｓを有している。
【００３９】
一方、底板第三辺フラップ３１は、天板第三辺フラップ１１側に延出した箱体第一係止片３３、および箱体第一係止片３３と相対する側に延出した箱体第二係止片３４を有している。底板第四辺フラップ３２は、天板第四辺フラップ１２側に延出した箱体第三係止片３５、および箱体第三係止片３５と相対する側に延出した箱体第四係止片３６を有している。さらに箱体第一〜第四係止片３３〜３６は、それぞれ箱体第一〜第四係止爪３３ｔ〜３６ｔを有している。
【００４０】
＜蓋側係止片および箱体側係止片の折り目部など＞
箱体第一および第三係止片３３、３５は前板部２０の内面２０ｘと沿うように折り曲げられ、また箱体第二および第四係止片３４、３６は後板部４０の内面４０ｘと沿うように折り曲げられる。そのため、箱体第一係止片３３を折り曲げる箱体第一係止折り目部３３ａと箱体第二係止片３４を折り曲げる箱体第二係止折り目部３４ａとの間隔は、底板部３０の第三辺３０ｃの長さよりも若干狭く、また箱体第三係止片３５を折り曲げる箱体第三係止折り目部３５ａと箱体第四係止片３６を折り曲げる箱体第四係止折り目部３６ａとの間隔は、底板部３０の第四辺３０ｄの長さよりも若干狭くなっている。
【００４１】
これに対し、蓋側第一係止折り目部１３ａと蓋側第二係止折り目部１４ａとの間隔は、箱体第一および第二係止折り目部３３ａ、３４ａの間隔に、箱体第一および第三係止片３３、３５の厚さを加えた長さに略等しい間隔となっている。同様に、蓋側第三係止折り目部１５ａと蓋側第四係止折り目部１６ａとの間隔は、箱体第三および第四係止折り目部３５ａ、３６ａの間隔に、箱体第二および第四係止片３４、３６の厚さを加えた長さに略等しい間隔となっている。
【００４２】
したがって箱体第一係止片３３を、前板部２０の内面２０ｘに沿って折り曲げるとともに、蓋側第一係止片１３を、前板部２０の内面２０ｘに沿って折り曲げて（詳細には、箱体第一係止片３３と前板部２０の内面２０ｘとの間に挿入するように折り曲げて）両係止片を容易に係止することができる。箱体第三係止片３５と蓋側第三係止片１５との係止も同様である。
【００４３】
また箱体第二係止片３４を、後板部４０の内面４０ｘに沿って折り曲げるとともに、蓋側第二係止片１４を、後板部４０の内面４０ｘに沿って折り曲げて（詳細には、箱体第二係止片３４と後板部４０の内面４０ｘとの間に挿入するように折り曲げて）両係止片を容易に係止することができる。箱体第四係止片３６と蓋側第四係止片１６との係止も同様である。
【００４４】
＜係止爪と係止スリット＞
次に、箱体第一〜第四係止片３３〜３６、箱体第一〜第四係止折り目部３３ａ〜３６ａ、箱体第一〜第四係止爪３３ｔ〜３６ｔ、およびそれら箱体係止爪の折り目部３３ｕ〜３６ｕの位置関係などにつき、箱体第一係止片３３を例に説明する。
【００４５】
図３（ａ）は、展開状態にあるブランク２における箱体第一係止片３３近傍の平面概略構成を示す図である。同図に示すように、箱体第一係止爪３３ｔの折り目部３３ｕは、箱体第一係止折り目部３３ａよりも、底板第三辺フラップ３１の中央部側（同図下側）に若干オフセットしている。長方形状の箱体第一係止爪３３ｔは、折り目部３３ｕにおいて底板第三辺フラップ３１と連接する一方、残余の三辺が箱体第一係止片３３との間で裁断されており、折り目部３３ｕと相対する側が箱体第一係止爪先端３３ｘとなっている。
【００４６】
＜＜梱包箱の形成など＞＞
次に、梱包箱１の形成などにつき説明する。
【００４７】
＜ブランクの折り曲げの準備＞
先ず、箱体第一〜第四係止片３３〜３６の折り曲げ準備につき、箱体第一係止片３３を例に説明する。図３（ｂ）に示すように、先ず箱体第一係止爪３３ｔを折り曲げないように、箱体第一係止折り目部３３ａを谷折りして、箱体第一係止片３３を底板第三辺フラップ３１と重ねる。そうすると、箱体第一係止片３３では、上記の折り曲げ前において、箱体第一係止爪３３ｔが存していた領域が窓３３ｓとなり、箱体第一係止爪先端３３ｘが接していた部分が箱体第一係止片窓先端部３３ｙとなる。
【００４８】
さらに、図３（ｃ）に示すように箱体第一係止爪３３ｔを折り目部３３ｕにおいて谷折りすると、箱体第一係止爪先端３３ｘの近傍領域が、箱体第一係止片窓先端部３３ｙの近傍領域に重なる。こうして折り癖をつけた各箱体係止片および各箱体係止爪を略平面に戻す。
【００４９】
ここで図４（ａ）は、底板第三辺フラップ３１、箱体第一係止片３３、箱体第一係止爪３３ｔを図３（ｃ）に示すように折り曲げた状態の断面概略構成を示す図である（図３（ｃ）のＸ−Ｘ領域の断面概略構成である。）。
【００５０】
次に後板部４０の折り曲げ準備につき説明する。
【００５１】
後板部４０を、底板部３０と後板部４０との境界に位置する後板折り目部、および後板折り重ね部４３において谷折りすると、図５に示すように後板係止爪４０ｔを底板スリット３０ｓに係止させることができる。このとき後外板４１と後内板４２との間には、後板折り重ね部４３の幅と略等しい間隙４０ｗが形成される。折り曲げ準備段階では、未だ後板係止爪４０ｔを底板スリット３０ｓに係止しない。
【００５２】
また、同様に天板部１０を前板部２０に対し谷折りして折り癖をつけておく。このとき、天板第三辺フラップ１１を天板部１０に対し谷折りして折り癖をつけ、蓋側第一および第二係止片１３、１４を天板第三辺フラップ１１に対し谷折りして折り癖をつけ（天板第四辺フラップ１２、蓋側第三および第四係止片１５、１６についても同様）、そして閉止片１０ｔを天板部１０に対し谷折りして折り癖をつける（何れも図示せず。）。
【００５３】
＜梱包箱の形成＞
次に、ブランクの折り曲げによる梱包箱１の組み立てにつき説明する。先ず、図６に示すように、箱体第一および第二係止片３３、３４を底板第三辺フラップ３１と直交するように折り曲げるとともに、箱体第一および第二係止片３３、３４が底板部３０側に位置するように、底板第三辺フラップ３１を底板部３０に対し略垂直に折り曲げる。
【００５４】
次に、後板部４０の内面４０ｘに対し、後板折り重ね部４３を谷折りしつつ（図５参照）、箱体第二および第四係止片３４、３６を後外板４１と後内板４２との間に挟み込み（後板部４０の内面４０ｘに沿うように挟み込み）、後板係止爪４０ｔを底板スリット３０ｓに係止させる（図７）。
【００５５】
次に、図８に示すように、前板部２０を底板第三辺フラップ３１および底板第四辺フラップ３２に接するまで折り曲げる。そうすると箱体第一および第三係止片３３、３５は前板部２０の内面２０ｘと沿うように位置づけられて、底板部３０、前板部２０、底板第三辺および第四辺フラップ３１、３２によって箱体３を形成することができる（図８では、箱体３を閉止する天板部１０が未だ開いた状態である。）。なお図８は後板部４０を正面側に記載してある。
【００５６】
次に、図９に示すように、天板部１０で箱体３を閉止する。このとき、天板部１０の閉止片１０ｔを後板部４０の後部スリット４０ｓに差し込む。さらに天板第四辺フラップ１２を底板第四辺フラップ３２に向けて折り曲げる。このとき、蓋側第三係止片１５を前板部２０の内面２０ｘに沿うように挿入するとともに、蓋側第四係止片１６を後板部４０の内面４０ｘに沿うように挿入する。底板第三辺フラップ３１側も同様に折り曲げる（なお図９は、天板第三辺フラップ１１は、既に底板第三辺フラップ３１に向けて折り曲げた状態を示しており、また後板部４０を正面側に記載してある。）。
【００５７】
前板部２０の内面２０ｘ側には、図８に示すように、箱体第一および第三係止片３３、３５が略接するように位置づけられており（図８では箱体第一係止片３３が記載されている）、図４（ｂ）に示すように、蓋側第一係止片１３は、箱体第一係止片３３と前板部２０の内面２０ｘとの間に挿入されることになる（両係止片の上記位置関係は、蓋側第一係止折り目部１３ａと蓋側第二係止折り目部１４ａとの間隔が、箱体第一および第二係止折り目部３３ａ、３４ａの間隔に、箱体第一および第三係止片３３、３５の厚さを加えた長さに略等しい間隔となっていることで実現される。）。
【００５８】
その結果、蓋側第一係止スリット１３ｓ（蓋側第一係止片１３）と箱体第一係止爪先端３３ｘ（箱体第一係止片３３）とが係止する。蓋側第三係止片１５と箱体第三係止片３５との係止も同様に行われる。このとき、蓋側第一係止片１３は、箱体第一係止折り目部３３ａ側から挿入されて、箱体第一係止爪先端３３ｘと蓋側第一係止スリット１３ｓとが係止しているから、蓋側第一係止片１３を箱体第一係止折り目部３３ａ側に引き抜こうとしても、蓋側第一係止片１３の動きが阻止される（蓋側第三係止片１５も同様）。
【００５９】
後板部４０の内面４０ｘ側においても同様にして、蓋側第二係止片１４と箱体第二係止片３４とが、そして蓋側第四係止片１６と箱体第四係止片３６とがそれぞれ係止して、蓋側第二および第四係止片１４、１６を引き抜くことができない。
【００６０】
詳細には、箱体第二係止片３４は、後外板４１と後内板４２との間に（両板は間隔Ｗ（図５）を有している）位置づけられる（後板部４０の内面４０ｘに沿って位置づけられる。）。かかる位置関係を有する後外板４１と箱体第二係止片３４との間に、蓋側第二係止片１４が挿入されるのである（こうした位置関係は、蓋側第一係止折り目部１３ａと蓋側第二係止折り目部１４ａとの間隔が、箱体第一および第二係止折り目部３３ａ、３４ａの間隔に、箱体第一および第三係止片３３、３５の厚さを加えた長さに略等しい間隔となっていることで実現される。）。
【００６１】
このように、ブランク２は、折り目部を手で折り曲げることで、テープや接着剤を用いることなく、図１０に示す梱包箱１を組み立てることができる。こうして組み立てられた梱包箱１では、天板第三辺フラップ１１と底板第三辺フラップ３１とが重なり（天板第四辺フラップ１２と底板第四辺フラップ３２も同じ）、後板部４０が後外板４１と後内板４２との二重構造となっている。このように梱包箱１は、その六面うち三面が二重構造となって強固である。
【００６２】
また梱包箱１で係止される所は、蓋側第一〜第四係止片１３〜１６と箱体第一〜第四係止片３３ｔ〜３６ｔとの４箇所、および天板部１０の閉止片１０ｔと天板部１０の後部スリット４０ｓとの１箇所の計５箇所である。何れの系止箇所も三重または四重構造だから、梱包箱１を強固にするとともに、梱包箱１の内容物を外部の視界から遮断する（もちろんブランク２における各折り目部では隙間が生じない。）。
【００６３】
わずかに、天板部１０の第二辺１０ｂにおいて閉止片１０ｔが連接していない領域においてのみ、天板部１０と天板部１０との間に隙間が残り得る。こうした隙間も天板部１０の閉止片１０ｔの幅を拡げることで、天板部１０と後板部４０の隙間を狭めることができる。また天板部１０と後板部４０の隙間は、天板内フラップ３７、３８が天板部１０の内面に接する、底板第三辺および第四辺フラップ３１、３２近傍において遮られる。加えて後板部４０は、後外板４１と後内板４２と間隙４０ｗ以上の厚さを有するから、後板折り重ね部４３と天板部１０との重なりが天板部１０と後板部４０の隙間を遮る。
【００６４】
＜開封など＞
図１０に示すように、ブランク２の引裂き線は、天板部１０と天板第三辺フラップ１１との境界に形成された第一の引裂き線１７が、前板部２０の第三の引裂き線２１と連続しており、天板部１０と天板第四辺フラップ１２との境界に形成された第二の引裂き線１８が、同様に第四の引裂き線２２と連続している。そして第三の引裂き線の他端２１ｂおよび第四の引裂き線の他端２２ｂは、底板部３０の第一辺３０ａと接する前板部２０の第二辺２０ｂ近傍において、引裂き始点部２３を介して連続している。
【００６５】
したがって、前板部２０の引裂き始点部２３を指先で把持し、引裂き線を引き裂くと、図１１に示すように、前板部２０は、天板部１０と連接する領域２４と、底板部３０と連接する領域２５とに分離する。また天板部１０は、天板第三辺フラップ１１および天板第四辺フラップ１２から分離する。そうすると天板部１０の閉止片１０ｔを、後板部４０の後部スリット４０ｓから容易に引き抜くことができる。すなわち梱包箱１を開封することができる。
【００６６】
こうして開封された梱包箱１は、前板部２０において、天板第三辺フラップ１１の蓋側第一係止片１３と底板第三辺フラップ３１の箱体第一係止片３３との係止状態が解除され、また天板第四辺フラップ１２の蓋側第三係止片１５と底板第四辺フラップ３２の箱体第三係止片３５との係止状態が解除される（図１１）。その一方、後板部４０側では、天板第三辺フラップ１１の蓋側第二係止片１４と底板第三辺フラップ３１の箱体第二係止片３４との係止状態が維持され、また天板第四辺フラップ１２の蓋側第四係止片１６と底板第四辺フラップ３２の箱体第四係止片３６との係止状態が維持される（図１１）。
【００６７】
以上説明したとおり、梱包箱１は、テープや接着剤を用いることなく手作業で簡単に組み立てることができ、強固でかつ内容物の秘匿性が高く、その開封も道具を用いることなく手で簡単に開封できるものである。
【００６８】
本発明にかかる梱包箱は、上記実施例に限定されるものではなく、その趣旨を変更することなく、適宜変形して実施することができる。
【００６９】
たとえば、係止爪を箱体第一ないし第四係止片側にではなく、蓋側第一ないし第四係止片側に形成し、係止スリットを蓋側第一ないし第四係止片でなく箱体第一ないし第四係止片に形成してもよい。
【産業上の利用可能性】
【００７０】
上述したように、本発明によれば、梱包箱の組み立て時における糊づけ、またはテープの貼着作業、および閉止のための糊などが不要となるため、梱包箱の組み立てなどのコストを低減することができ、またカッターナイフなどの道具を必要とせず、手で開梱することができ作業が容易で開梱作業のコストを低減することができ、開梱後においても解体した梱包箱からテープなどを取り除く必要がないから、リサイクル作業のコストを低減することができる。
【００７１】
したがって、本発明は、流通業をはじめ、各種小売業、建築業等あらゆる産業において有用である。
【符号の説明】
【００７２】
１  梱包箱
２  ブランク
３  箱体
１０  天板部
１０ｔ  天板部の閉止片
１０ａ〜１０ｄ  天板部の第一辺〜第四辺
１１、１２  天板第三辺フラップ、天板第四辺フラップ
１３〜１６  蓋側第一〜第四係止片
１３ａ〜１６ａ  蓋側第一〜第四係止折り目部
１３ｓ〜１６ｓ  蓋側第一〜第四係止スリット
１７、１８  第一の引裂き線、第二の引裂き線
２０  前板部
２０ａ、２０ｂ  前板部の第一辺、前板部の第二辺
２０ｘ  前板部の内面
２１、２２  第三の引裂き線、第四の引裂き線
３０  底板部
３０ａ〜３０ｄ  底板部の第一辺〜第四辺
３０ｓ  底板スリット
３１、３２  底板第三辺フラップ、底板第四辺フラップ
３３〜３６  箱体第一〜第四係止片
３３ａ〜３６ａ  箱体第一〜第四係止折り目部
３３ｓ〜３６ｓ  箱体第一〜第四係止片の窓
３３ｔ〜３６ｔ  箱体第一〜第四係止爪
３３ｕ〜３６ｕ  箱体第一〜第四係止爪の折り目部
３３ｘ〜３６ｘ  箱体第一〜第四係止爪先端
３３ｙ〜３６ｙ  箱体第一〜第四係止片窓先端部
３７、３８  天板内フラップ
４０  後板部
４０ｓ  後部スリット
４０ｘ  後板部の内面
４０ｗ  主後板（後外板）と副後板（後内板）との間隙
４１  主後板（後外板）
４２  副後板（後内板）
４３  後板折り重ね部
【図１】
2014084132.tif 000003
【図２】
2014084132.tif 000004
【図３】
2014084132.tif 000005
【図４】
2014084132.tif 000006
【図５】
2014084132.tif 000007
【図６】
2014084132.tif 000008
【図７】
2014084132.tif 000009
【図８】
2014084132.tif 000010
【図９】
2014084132.tif 000011
【図１０】
2014084132.tif 000012
【図１１】
2014084132.tif 000013